(57)【要約】  本発明は、ウェブコンテンツをモバイル機器に配信するシステム及び方法に関するものである。システムは、少なくとも１つのコンテンツアイテムを含むウェブページと関連づけられたコンテンツ配信プログラムを具備する。前記コンテンツ配信プログラムは、前記少なくとも１つのコンテンツアイテムに関係したユーザ選択信号を受信することと、前記モバイル機器の識別子を受信することと、前記ユーザ選択信号及び前記識別子に基づいて前記モバイル機器に前記少なくとも１つのコンテンツアイテムの配信を開始することと、で構成される。
2008502053.tif 000002
【特許請求の範囲】
【請求項１】
ウェブコンテンツをモバイル機器に配信するシステムであって、
少なくとも１つのコンテンツアイテムを含むウェブページと、
前記ウェブサイトと関連づけられ、かつ、前記少なくとも１つのコンテンツアイテムに関係したユーザ選択信号を受信することと、前記モバイル機器の識別子を受信することと、前記ユーザ選択信号及び前記識別子に基づいて前記モバイル機器に前記少なくとも１つのコンテンツアイテムの配信を開始することと、で構成されたコンテンツ配信プログラムと、
を具備するシステム。
【請求項２】
前記配信は、インターネットによって前記モバイル機器と関連づけられたモバイルキャリアゲートウェイに、前記少なくとも１つのコンテンツアイテムに関連したコンテンツデータを送信すること、を更に具備する請求項１に記載のシステム。
【請求項３】
前記コンテンツ配信プログラムは、前記ウェブページでの実行のために構成されたアプレットである、請求項１に記載のシステム。
【請求項４】
前記ウェブページは、サーバに記憶されており、前記コンテンツ配信プログラムは、前記ウェブページでの実行のために構成されたサーブレットである、請求項１に記載のシステム。
【請求項５】
前記ウェブページは、サーバから受信され、クライアントコンピュータに表示される、請求項３に記載のシステム。
【請求項６】
前記アプレットは、サーバから受信される、請求項５に記載のシステム。
【請求項７】
ウェブコンテンツをモバイル機器に配信するシステムであって、
ウェブページコードセット内に設けられ、かつ、前記ウェブページコードセット内に定義された少なくとも１つのコンテンツアイテムと関連づけられたコンテンツ配信プログラムを有し、
前記コンテンツ配信プログラムは、
前記少なくとも１つのコンテンツアイテムに関係したユーザ選択信号を受信することと、前記モバイル機器の識別子を受信することと、前記ユーザ選択信号及び前記識別子に基づいて前記モバイル機器に前記少なくとも１つのコンテンツアイテムの配信を開始することと、で構成されることを特徴とするシステム。
【請求項８】
前記コンテンツ配信プログラムは、Ｊａｖａ（登録商標）アプレットを含む、請求項７に記載のシステム。
【請求項９】
前記少なくとも１つのコンテンツアイテムを受信しかつ表示するモバイル機器を、更に具備する、請求項７に記載のシステム。
【請求項１０】
前記コンテンツ配信プログラムは、サーバから前記ウェブページコードセットへダウンロードされる、請求項７に記載のシステム。
【請求項１１】
前記ウェブページコードセットは、ウェブページテンプレートを定義し、前記少なくとも１つのコンテンツアイテムは、クライアントコンピュータから前記ウェブページコードセットにアップロードされる、請求項７に記載のシステム。
【請求項１２】
ウェブコンテンツをモバイル機器に配信する方法であって、
コンテンツ配信プログラムコードをウェブページコードセット内に供給するステップと、
前記ウェブページコードセットでユーザ選択信号を受信するステップとを有し、
前記コンテンツ配信プログラムコードは、選択されたコンテンツアイテムに関係したユーザ選択信号を受信するステップと、前記モバイル機器の識別子を受信するステップと、前記ユーザ選択信号及び前記識別子に基づいて前記モバイル機器に前記選択されたコンテンツアイテムの配信を開始するステップと、で構成されてなることを特徴とする方法。
【請求項１３】
前記選択されたコンテンツを前記モバイル機器に配信するステップを更に具備する、請求項１２に記載の方法。
【請求項１４】
サーバから前記ウェブページコードセットを実行しているブラウザにアプレットをダウンロードすることを含むウェブページに、前記コンテンツ配信プログラムコードを供給する、請求項１２に記載の方法。
【請求項１５】
前記ウェブページコードセットのホストとして機能するサーバ内でサーブレットを実行することを含むウェブページに、前記コンテンツ配信プログラムコードを供給する、請求項１２に記載の方法。
【請求項１６】
前記選択されたコンテンツアイテムをクライアントコンピュータから受信するステップを、更に具備する請求項１５に記載の方法。
【請求項１７】
前記選択されたコンテンツを選択するステップと、前記ウェブページコードセットの中で選択されたコンテンツ上で前記アプレットを実行するステップと、を更に具備する請求項１４に記載の方法。
【請求項１８】
コンピュータを使用して前記選択されたコンテンツの配信を監視するステップを、更に具備する請求項１２に記載の方法。
【請求項１９】
ウェブコンテンツをモバイル機器に配信するシステムであって、
ネットワークに接続されたコンピュータ上のブラウザ内に表示されたウェブページと、
前記モバイル機器を前記ネットワークに接続するモバイルキャリアゲートウェイと、
ウェブページと関連づけられたコンテンツアイテムと、
前記ウェブページと前記コンテンツアイテムに関連づけられたコンテンツ配信プログラムと、
を具備し、
前記コンテンツ配信プログラムは、前記モバイル機器の識別子を受信するとともに、前記ネットワークと前記モバイルキャリアゲートウェイとを介して前記コンテンツアイテムを前記モバイル機器に配信するように構成されたシステム。
【請求項２０】
前記ネットワークに接続され、かつ前記コンテンツ配信プログラムからデータを受信するよう構成されたコントロールセンターを更に具備し、前記コントロールセンターは更に、前記モバイル機器への前記コンテンツアイテムの配信を追跡するように構成された請求項１９に記載のシステム。
【発明の詳細な説明】
【技術分野】
【０００１】
インターネットやワールドワイドウェブ（「ウェブ」）において、コンテンツは、サーバ内に記憶されており、かつブラウザのようなクライアントのアプリケーションによってアクセスされる。今日の無線加入者が、携帯電話のようなモバイル機器を介してウェブコンテンツにアクセスでき、かつ受信できるように、無線通信技術の進歩はある種の収束に至った。無線によるウェブアクセスは、モバイル機器上の専用ブラウザアプリケーションを使用してなされるのが典型的である。前記加入者は、無線通信業者(wireless service carrier)によるウェブサービスに加入しなければならない。
【背景技術】
【０００２】
現在では、ウェブからモバイル機器にコンテンツ（特に画像）をダウンロードする１つの方法において、ユーザはモバイルコンテンツを提供するウェブサイトの在り処をつきとめなければならず、所望の画像を発見するとともに、それらのモバイル機器を用いて電話番号を呼び出さなければならず、かつその後にコードの欄にタイプしなければならない。前記画像をモバイル機器にダウンロードするには、それから数分がかかる。加入者は、それらの通信業者の携帯電話の請求書で直接請求され、実際には「リバースビリング（reverse billing）」として知られている。
【０００３】
別な方法としては、ユーザが、モバイルコンテンツを提供するウェブサイトを探し出し、かつ前記ウェブサイトによって設定された電話番号にダイヤルする。それからユーザは、前記電話番号に、後で携帯電話に前記画像をダウンロードするコード番号とともにテキストメッセージを送る。リバースビリングはなおも生じる。更に別な方法としては、ユーザはウェブサイトから携帯電話にテキストを送ることができる。ユーザは、前記携帯電話の番号を入力するとともに、テキストメッセージ枠内でタイプし、かつ「送信」をクリックする。
【０００４】
そして更に別な方法としては、ウェブサイトの開発者は、前記ウェブサイトのオンラインコンテンツのモバイル版を携帯電話に送るアプリケーションを作成するためのツールを使うことができる。これらのモバイルアプリケーションは、その後前記通信業者のオンラインポータルサイトを介して前記モバイル加入者に提供されるか、または携帯電話自体に予めインストールされている。ウェブサイトの所有者は、通信業者がそれらの特定のネットワーク装置またはオンラインポータルサイトを介して前記アプリケーションを認定するモバイルアプリケーションを作り上げる。しかしながら、すべてのウェブサイトの所有者が、前記通信業者のポータルウェブサイトまたは装置から利用可能なそれらのモバイルアプリケーションを入手することができるわけではなく、通常は彼ら自身の彼らのコンテンツのための別々のモバイルアプリケーションを作成しなければならない。
【発明の開示】
【発明が解決しようとする課題】
【０００５】
第三に、現在の方策は、モバイルコンテンツを提供するウェブサイトをつきとめること、メディア（画像、オーディオ、ビデオレター（vidlet）等）を見つけ出すことと、メディアを受信することになる携帯電話を使って電話番号を呼び出すことと、コードの欄にタイプするか、あるいはその後に携帯電話に前記メディアをダウンロードすることになるときテキストメッセージを送ることを、ユーザ／ビジター／ウェブサーファーに要求する。この方策は、非常に高いコストとして前記携帯電話ユーザへの毎月の通信業者の請求書に表れる。前記通信業者は収益の大部分を取り、かつ前記コンテンツを提供しているウェブサイトの所有者やコンテンツ提供者に対してわずかな部分しか与えない。
【課題を解決するための手段】
【０００６】
本文書は、ウェブサイトからモバイル機器にウェブコンテンツを送信するためのシステムと方法を開示する。前記ウェブコンテンツは、画像、ビデオクリップ又は他のメディアを含む。システムは、ウェブページと関連づけられたコンテンツ配信プログラムを含み、前記ウェブページは、少なくとも１つのコンテンツアイテムを含む。前記コンテンツ配信プログラムは、少なくとも１つのコンテンツアイテムに関係したユーザ選択信号を受信して、前記モバイル機器の識別子を受信して、前記ユーザ選択信号と前記識別子に基づいて前記モバイル機器に前記少なくとも１つのコンテンツアイテムの配信を開始するように構成される。
【０００７】
したがって、前記システムは、ユーザに対して、ポインタや他のメカニズムを有する前記ウェブページ内で選択されたコンテンツアイテムについて「クリック」することと、ポップアップウインドウを見ることと、携帯電話番号や他の識別子を入力することを許可し、「送信」をクリックすることを許可する。前記選択されたコンテンツアイテムは、前記携帯電話番号と関連づけられた前記モバイル機器に自動的に送信される。一実施形態において、コンテンツ配信プログラムは、Ｊａｖａ（登録商標）でコード化され、かつアプレットとしてサーバから前記ウェブページに提供される。他の実施形態では、前記コンテンツ配信プログラムは、前記ウェブページのホストとして機能するサーバで動作するサーブレットである。前記ウェブページは、予めインストールされる前記コンテンツ配信プログラムを持つユーザによってアクセス可能であり、かつ選択されたコンテンツアイテムは前記ウェブページの中に含まれるように前記サーバにアップロードされる。
【０００８】
１つ以上の実施形態の詳細が、添付図面と以降の記載において説明されている。他の特徴と目的と利点は、以降の記載と図面から明らかとされ、かつ請求項の記載から明らかとされる。
【０００９】
これらの構成とその他の構成は図面を参照して詳述される。種々の図面での同じ参照符号は同じ構成要素を示している。
【発明を実施するための最良の形態】
【００１０】
本文書は、いかなるウェブサイトも、ユーザが画像または他のコンテンツアイテムをクリックして、いかなる携帯電話又はその他のタイプのモバイル機器にそれを送信することを、ユーザに許可する特徴を持つことを可能とする、システムと方法を開示する。さらにまた、前記コンテンツを送信するウェブサイトは、前記コンテンツを送信するためのクレジットを得ることを、前記コンテンツの所有者であるウェブサイトに許可する、自己の送信者識別子（ＩＤ）を持つことができる。
【００１１】
図１は、モバイル機器１１４へのウェブコンテンツ１０６の配信を可能にするシステム１００のブロック図である。前記システム１００において、クライアントコンピュータ１０１は、前記ウェブ１０８からウェブサイトのデータにアクセスし、かつウェブページ１０２を表示するためのブラウザアプリケーションを含む。前記クライアントコンピュータ１０１は、前記ウェブ１０８へのアクセスが可能な、いかなるタイプのコンピュータであっても良い。前記ウェブページ１０２は、ブラウザアプリケーションによって表現できるハイパーテキストマークアップ言語（ＨＴＭＬ）や拡張マークアップ言語（ＸＭＬ）のようなマークアップ言語でコード化されている１以上のコンテンツの「ページ」を含む、ウェブサイトと関連づけられている。前記ウェブサイトデータ１０２は、例えば画像、テキスト、ビデオクリップ、グラフィックス、販促用コンテンツ等のコンテンツ１０６を含んでいる。前記マークアップ言語は、前記コンテンツ１０６を前記ウェブページにおいてどのように描画するかについて定義する。
【００１２】
前記ウェブページ１０２と関連づけられた前記データは、前記コンテンツ配信プログラムコード１０４を含んでいる。例示的な一実施形態において、前記コンテンツ配信プログラムコード１０４は、モバイル配信機能が要望されるいかなるコンテンツにも適用されるＪａｖａ（登録商標）アプレットである。前記コンテンツ配信プログラムコード１０４は、前記ウェブページ１０２と関連づけられたコンテンツ１０６とともにクライアントコンピュータ１０１に送信される。前記コンテンツ配信プログラムコード１０４は、コンテンツ配信機能を前記コンテンツ１０６に設ける。
【００１３】
１つの例において、ウェブサイトの所有者または管理者は、前記ウェブ１０８に接続されたサーバから、前記ウェブ１０８を介してアプレットを受信する。前記ウェブサイトの所有者または管理者は、それらのウェブサイト上で選択されたコンテンツがモバイル配信機能を持つことを可能にするためのアプレットコードを使用する。前記アプレットを受信することに加え、前記ウェブサイトの所有者または管理者は、前記アプレットの実行、すなわち、多数のファイルをそれらのウェブサーバのルートホルダーにコピーしたり、他のこのようなステップを踏むこと、の指示を受ける。これらのファイルは、前記ウェブページまたはその一部分上に前記アプレットをロードするために使用される。
【００１４】
一実施形態において、前記コンテンツ配信プログラムコード１０４は、ユーザに前記描画されたコンテンツ１０６上で「クリック」すること、又は他の方法では、ユーザ選択信号を提供したり、プログラムを呼び出すことを許可する。このプログラムは、前記コンテンツデータを、前記ウェブサイト及び／又はウェブサイト所有者／コンテンツ発信元を識別する送信者ＩＤのような他のデータと一緒に、送信可能なフォーマットでパッケージするとともに、更に後述するようにモバイル機器に前記データを配信するように構成されている。前記コンテンツ配信プログラムコード１０４は、前記ユーザから受取人識別子、例えば携帯電話の電話番号、を受信する。前記コンテンツ配信プログラムコード１０４は、前記受取人識別子によって表される前記受取人への転送のため、前記受取人識別子とコンテンツデータをパッケージする。
【００１５】
例示的な一実施形態において、ユーザは、１つ以上の選択されたモバイル機器に、クーポンと広告のような販促用コンテンツを送信できる。前記販促用コンテンツは、前記販促用コンテンツのタイプ（すなわち、クーポンや広告等）を識別する固有ＩＤ及び、有効期限と、前記販促用コンテンツの発行者や送信者と、クーポンの場合における引換え情報等の他の情報を含むことができる。前記他の情報は前記販促用コンテンツと共に送信され、前記モバイル機器上に描画される。
【００１６】
他の例示的な実施形態において、前記コンテンツ１０６は、ウェブサーバからストリーミングするオーディオ又はビデオソースである。ユーザが前記コンテンツ１０６を選択するとき、前記ストリーミングするオーディオ又はビデオデータは、ストリームされたデータを受け入れ可能なモバイル機器へのストリーム配信のために再度パッケージされる。一例としては、前記ストリームされたデータは、ラジオ番組のウェブキャストあるいはスポーツの試合等のイベントのビデオフィードである。
【００１７】
前記コンテンツ配信プログラムコード１０４は、多くの無線通信業者の内のいくつかのモバイルキャリアゲートウェイ１１２に、前記ウェブ１０８を介して、前記コンテンツ１０６を表現するデータを送信する。前記コンテンツは、単一のモバイル機器に配信され、又は多くのモバイル機器に同時に若しくは順番に無線放送される。前記コンテンツデータはまた、記憶及び／又は処理のためにデータベース１１０に送信される。前記モバイルキャリアゲートウェイ１１２は、前記モバイル機器１１４への配信のため、無線ネットワーク１１３における無線フォーマットで前記コンテンツデータを送信する。前記モバイル機器１１４は、携帯電話や、無線パーソナル携帯情報端末（ＰＤＡ）や、または前記コンテンツデータを描画しかつ表示するためのディスプレイとローカルアプリケーションとを有する他の装置である。
【００１８】
図２は、ウェブコンテンツ２０４をモバイル機器２１２に配信するためのシステムと方法２００の機能的なブロック図を示している。ウェブサイト２０１は、順次１つ以上のコンテンツアイテム２０４を含む１つ以上のウェブページ２０２を設けており、各コンテンツアイテム２０４は、例えば画像、グラフィック、文字列一式（a unit of text）、ビデオクリップ、などのコンテンツデータの個々のアイテムを表現している。前記コンテンツアイテム２０４は、描画された画像、ハイパーリンクテキスト、囲み線（box）、若しくはグラフィックとして前記ウェブページ２０２に表現される。
【００１９】
１つ以上のコンテンツアイテム２０４は、図１に記載されているコンテンツ配信プログラムコードを使ったモバイル機器への配信のために構成される。例示的な一実施形態において、ユーザは、配信のための１つのコンテンツアイテム２０４を選択する。前記ユーザは、前記選択されたコンテンツアイテム２０４をターゲットとするためのポインタ又は他のグラフィカルオブジェクトを使用することができ、ウェブページコードに埋め込まれた前記コンテンツ配信プログラムを起動するためにキーボードやマウスのような入力装置を介して「クリック」することができる。そのような選択によって、ポップアップウインドウ２０６は、前記表示されたウェブページ２０２を含む画面において生成される。前記ポップアップウインドウ２０６は、ユーザ画面上のウェブページ２０２の中に、又はウェブページ２０２を含むブラウザアプリケーションウインドウの外に現れる。
【００２０】
前記ポップアップウインドウ２０６は、前記コンテンツアイテム２０４から選択されたコンテンツデータの簡易表示（thumbnail）や他の表現タイプのような、前記選択されたコンテンツ２０５の表現を含んでいる。前記ポップアップウインドウ２０６は、また、携帯電話番号のような受取人識別子、送信者名や他の識別子、受取人へ配信するための又はデータベースに記憶するためのメッセージ、又は他の情報を含む（ただし制限されていない）ユーザ入力を受信するための多くの入力フィールド２０８を含んでいる。前記ユーザは、ポップアップウインドウで１つ以上の受取人識別子を入力することによっても、また、前記コンテンツアイテム２０４が配信されるように繰り返し選択することによっても、１つ以上の受取人に前記選択されたコンテンツ２０５を配信しても良い。前記ポップアップウインドウ２０６は、さらに、前記選択されたコンテンツ表現２０５で表示されたように、前記選択されたコンテンツアイテム２０４の配信処理を起動させるための、グラフィカルな「送信」ボタンのようなアクションコントロール２１０を含んでいる。
【００２１】
前記配信処理は前記コンテンツデータと他の情報をモバイル機器２１２にユーザによって選択されたとおりに送信する。前記モバイル機器は、前記コンテンツデータ２０７を表示可能なディスプレイ２１４を具備している。ある実施形態において、前記コンテンツデータ２０７の無線バージョンは、前記ディスプレイ２１４の技術的な制約条件や表示能力の限界のため、ウェブページ２０２でオブジェクト２０４を定義する前記コンテンツデータの圧縮されたバージョンであるか、若しくは小さいバージョンである。
【００２２】
コントロールセンター２２０は、サービスの品質（ＱｏＳ）のために、１つ以上のウェブサイト２０１から１つ以上のモバイル機器２１２への前記コンテンツデータの送信と、支払い請求と、他の制御機能を含む、前記システム２００の通信量を監視する。前記コントロールセンター２２０は、クライアントコンピュータ上で動作するプログラムのように、若しくはウェブベースのサーバアプリケーションのように実装される。前記コントロールセンター２２０から、前記ウェブサイトの所有者は、前記コンテンツの製作者又は前記コンテンツの配信提供元の、会社又は人の名前を編集できる。例えば、前記コンテンツに対する配信サービスの提供者を示す「ＧＴＭ」（すなわち、グローバルテルメディア）などがデフォルトで設定されている。前記ウェブサイトの所有者は、そのアカウントをアップグレードすることを決め、かつ自分の名前を配信商品に付することができる。一実施形態では、前記ウェブサイトの所有者やコンテンツの製作者に、配信されるコンテンツに自分の名前を付けることを許可することに対する料金が請求される。
【００２３】
本願明細書に記載されている実施形態において、コンテンツの配信と共になされる請求は、通信業者の支払い請求書を目立つようにはしない。すなわち、逆支払い請求はなされない。前記ウェブサイトの所有者が無料コンテンツ配信の許可を決めるか又はそのために請求するかどうかについては、特定のウェブサイトの所有者に依存する。仮に前記ウェブサイトの所有者が、モバイルコンテンツの配信に対して彼らの消費者に請求したい場合は、このときその消費者は加入でき、アカウント番号が発行される。前記アカウント番号は、個人用口座であるアカウントと関連づけられているか、又は前記ウェブサイトの所有者や消費者／受取人と関連づけられている。
【００２４】
一実施形態において、前記アカウント番号は、モバイルコンテンツ配信に対する１番最初の消費者支払いのアカウントと関連づけられている。ユーザ／訪問者は、コントロールセンター２２０を介してその代金を支払うことによって彼らの預金口座から請求される。どの程度の数と量のコンテンツを購入のために入金するかを選ぶために、ユーザ／訪問者が利用できる値段表（rate sheet）がある。ユーザ／訪問者は、その後、ポップアップウインドウ２０６のフィールド２０８内にアカウント番号を入力すると共に、他のフィールド２０８内で携帯電話番号とテキストメッセージを入力する。その後、お金が口座番号から引き落とされ、自動的に特定のウェブサイトの所有者に入金される。このように、デビット／クレジット処理は、モバイルコンテンツを送信するユーザ／訪問者とモバイルコンテンツを提供するウェブサイトの所有者との関連づけと同一性の確認を介して促進される。すべては、コントロールセンター２２０で追跡される。あるいは、ウェブサイトの所有者は、無料のサービスとしてモバイルコンテンツを提供する。ウェブサイトの所有者は、彼らのウェブサイト訪問者のうちの１人がモバイル機器にモバイルコンテンツを送信するたびに引き落とされる自分自身の口座番号を有する。
【００２５】
図３は、ウェブコンテンツをモバイル機器に配信する方法３００のフローチャートである。例示的な一実施形態において、前記方法３００は、ステップ３０２でコンテンツ配信プログラムコードをウェブサイトに供給することを含む。ウェブサイトとそのコンテンツは、マークアップ言語、例えばＨＴＭＬやＸＭＬ、によるコードの形式でクライアントに配信される。コンテンツ配信プログラムコードは、前記コンテンツをさらに定義するために、マークアップ言語の中に埋め込まれる。ステップ３０４では、例えば、マークアップ言語での命令によってブラウザに表示されたコンテンツアイテム上でユーザがクリックするときには、ユーザが選択した入力は受信される。ステップ３０６で、コンテンツ配信は、例えば、下記においてさらに詳細に述べるように、対話式のポップアップウインドウの描画を促すための前記コンテンツ送信の配信コードを起動することによって可能となる。
【００２６】
前記コンテンツ配信メカニズムは、ステップ３０８で１以上のモバイル機器に前記コンテンツを送信する。一実施形態において、ユーザは、コンテンツをモバイル機器加入者に配信するために、携帯電話の電話番号を入力する。別な実施形態において、ユーザは、選択されたコンテンツを不特定多数の相手に向かって送信（ブロードキャスト）するために複数の電話番号を入力できる。
【００２７】
図４は、ウェブコンテンツをモバイル機器に配信する方法４００を示す。図３に記載されているステップ３０６は、ステップ４０２でポップアップウインドウを設けて、ステップ４０４でユーザ入力を受信するステップを含んでいる。前記ポップアップウインドウは、キーボードやマウスのような入力装置を介して、受取人ＩＤ、メッセージ、送信者ＩＤ又は他の情報を含むユーザ入力を受信するための１つ以上のユーザ入力フィールドを含む。これらのフィールドはステップ４０４でユーザによって実装され、かつ前記フィールド内のデータは、前記コンテンツの前記特定のモバイル機器への配信のために処理される。前記コンテンツの送信をブロードキャストするか否かの決定は、ポップアップウインドウ内でユーザが選択可能な制御においてなされる。
【００２８】
図３において、モバイルコンテンツを送信するステップ３０８は、ウェブコンテンツをステップ４０６でモバイルキャリアゲートウェイへ送信するステップか又はその変型によって成し遂げられる。前記ウェブコンテンツデータは、また、ステップ４０８でデータベースに送信される。前記ゲートウェイは、モバイル機器が接続可能で、かつ加入者はそれからモバイル無線サービスに加入できる、通信業者の無線ネットワークに接続するための装置又はシステムである。ステップ４１０で、送信者ＩＤのような前記コンテンツデータ及び関係した情報は、モバイルキャリアゲートウェイから無線ネットワークを介してモバイル機器に転送される。
【００２９】
図５は、コンテンツをモバイル機器に配信するための代替技術を図解するシステム５００の他の実施形態を示している。いかなるクライアントコンピュータ５０４上のコンテンツ５０２も、ネットワーク５０８を介してコントロールセンター５１２に、選択的にアップロードされる。前記ネットワーク５０８は、ウェブ１０８の一部であってもよく、または、コンテンツの転送に適している、いかなる他のタイプの通信ネットワーク、例えば、ローカルエリアネットワーク（ＬＡＮ）、イントラネット、ワイドエリアネットワーク（ＷＡＮ）等でもあってもよい。前記選択されたコンテンツ５０２は、サーバコンピュータや他のコンピュータである前記コントロールセンター５１２にアップロードされる。前記コントロールセンター５１２は、コンテンツ配信機能を前記選択されたコンテンツ５０２に設けるために、予めインストールされたコンテンツ配信プログラムコード５１４を含む、ウェブページテンプレート５１０のホストとして機能する。前記コンテンツ配信プログラムは、コントロールセンター５１２を具備するウェブサーバ内部で動作する、好ましいアプレット又はサーブレットをコード化する。
【００３０】
選択されたコンテンツ５０２は、上記した通りのウェブ１０８とモバイルキャリアゲートウェイ１１２を介したモバイル機器１１４への配信が可能なコンテンツ５０３となる。したがって、ユーザは、例えばロゴ、ブランドアイデンティティ、画像、ビデオ等のコンテンツを、ホストとして機能したウェブページテンプレート５１０に「発行」できる。一旦コンテンツ５０２が発行されると、ユニフォームリソースロケータ（ＵＲＬ）または他の識別子が、ユーザに発行される。ユーザは彼らのブラウザか又は自分のウェブページから前記ＵＲＬにリンクでき、かつ、あたかもコンテンツ配信機能が自分自身のウェブページに既に設けられているかのように描画されるコンテンツ配信技術を実行できる。
【００３１】
ウェブページテンプレート５１０へのアクセスは、多くのセキュリティメカニズムのいくつかにより保護されており、１回払いタイプ又は定期購入タイプに応じてユーザによるアクセスが認められる。
【００３２】
幾つかの実施形態が上記の通り詳細に説明されたが、他の変更態様も可能である。図３及び４において、表示された論理フローは、望ましい結果を成し遂げるために、特別に示される命令または順次的な命令を必要としない。他の実施形態は、特許請求の範囲内に属する。
【図面の簡単な説明】
【００３３】
【図１】ウェブコンテンツをモバイル機器に配信するシステムのブロック図である。
【図２】ウェブコンテンツをモバイル機器に配信する技術の機能的なブロック図である。
【図３】ウェブコンテンツのモバイル機器への配信を可能にする方法のフローチャートである。
【図４】ウェブコンテンツをモバイル機器に配信する方法のフローチャートである。
【図５】コンテンツをモバイル機器に配信するシステムのブロック図である。
【符号の説明】
【００３４】
１００  システム
１０２  ウェブページ
１０４  コンテンツ配信プログラムコード
１０６  コンテンツ
１０８  ウェブ
１１０  データベース
１１２  モバイルキャリアゲートウェイ
１１４  モバイル機器
２００  システム
２０２  ウェブページ
２０４  コンテンツアイテム
２０５  選択されたコンテンツ
２０６  ポップアップウインドウ
２０７  コンテンツデータ
２０８  入力フィールド（入力番号，送信者名，メッセージ）
２１０  アクションコントロール（送信ボタン）
２１２  モバイル機器
２１４  ディスプレイ
２２０  コントロールセンター
５００  システム
５０２  選択されたコンテンツ
５０３  配信が可能なコンテンツ
５０４  クライアントコンピュータ
５０８  ネットワーク
５１０  ウェブページテンプレート
５１２  コントロールセンター
【図１】
2008502053.tif 000003
【図２】
2008502053.tif 000004
【図３】
2008502053.tif 000005
【図４】
2008502053.tif 000006
【図５】
2008502053.tif 000007
【国際調査報告】
2008502053.tif 000008
2008502053.tif 000009